(57)【特許請求の範囲】
【請求項１】
合成樹脂材により表示開口部を有する全体枠状に形成されたベゼルに対して、表示パネルをその有効表示領域を上記表示開口部から外方に臨ませるようにして組み合わせるとともに、上記表示パネルを保持するホルダ部材に設けたベゼル取付部を上記ベゼルに固定してなり、
上記ベゼルには、その内面に、取付ネジをねじ込んで上記ホルダ部材の上記ベゼル取付部を固定する取付用ボス部とともに、上記ホルダ部材の前面に突き当てられることにより上記表示開口部の開口縁と上記表示パネルとの間に所定の間隙を構成する突当てリブが一体に形成され、
上記取付用ボス部が、上記突当てリブを上記ホルダ部材に突き当てた状態で相対する上記ベゼル取付部との間に間隔を構成する高さに形成されることにより、上記取付ネジがねじ込まれると上記ベゼルを上記ホルダ部材側に撓ませることを特徴とするパネル型表示装置。
【請求項２】
上記ホルダ部材が、金属板材により上記表示パネルの外周部を保持する外周保持部と、この外周保持部の背面側から一体に形成され複数の取付孔を有する上記ベゼル取付部とからなり、
上記ベゼルに上記各取付孔と相対して形成される複数の上記取付用ボス部が、上記ホルダ部材の上記外周保持部に近い位置の取付孔と対向する取付用ボス部に対して離れた位置の取付孔と対向する取付用ボス部が長軸に形成されることを特徴とする請求項１に記載のパネル型表示装置。
【請求項３】
上記ホルダ部材が、金属板材により上記表示パネルの外周部を保持する外周保持部と、この外周保持部の前面側から一体に形成されて上記表示パネルの外周部に沿った前面部を保持する前面保持部とからなり、
上記ベゼルに形成される上記突当てリブが、上記ホルダ部材の上記前面保持部に対して上記外周保持部との折曲部位の近傍で突き当てられることを特徴とする請求項１に記載のパネル型表示装置。
【発明の詳細な説明】
【技術分野】
【０００１】
本発明は、表示パネルの前面部に、その有効表示領域を表示開口部から外方に臨ませて枠状のベゼルを組み合わせてなるパネル型表示装置に関する。
【背景技術】
【０００２】
パネル型表示装置は、例えば液晶パネルやプラズマディスプレィパネル或いはエレクトロルミネッセンスディスプレィパネル等の表示パネルを備え、陰極線管表示装置と比較して軽量・小型化を図って大型表示画面化を実現する。パネル型表示装置は、一般に表示パネルや回路基板を搭載したシャーシ或いは内蔵スピーカ等をフロントキャビネット（ベゼル）とバックキャビネットからなる筐体内に収納して本体を構成し、この本体をスタンド等により支持する。
【０００３】
パネル型表示装置は、ベゼルが、合成樹脂材により表示パネルの有効表示領域を外方に臨ませる表示開口部を有して枠状に形成されるとともに、表示パネルを保持するホルダ部材やバックキャビネット等との取付部が一体に形成される。パネル型表示装置は、大型化に伴って合成樹脂材で一体に成形される枠状のベゼルも大型となり、成形条件や荷扱い等の原因による変形も大きくなる。パネル型表示装置においては、ベゼルに、表示パネルに対してその有効表示領域を表示開口部から精密に外方に臨ませるように適宜の位置決め部も一体に形成する対応が図られている（例えば特許文献１を参照。）。
【０００４】
パネル型表示装置（例えば、液晶テレビジョン受像機）１００においては、図５に示すように表示パネル（液晶パネル）１０１が図示しないシャーシやステー等の構造体に固定される鋼板やアルミ板等の金属板により枠状に形成したホルダ部材１０２により外周部を保持される。パネル型表示装置１００は、ホルダ部材１０２を介して表示パネル１０１の前面部にベゼル１０３を組み合わせる。パネル型表示装置１００は、ベゼル１０３や図示しないバックキャビネットが、例えばポリカーボネート（ＰＣ）樹脂、ポリスチレン（ＰＳ）樹脂、アクリロニトリル・ブタジエン・スチレン（ＡＢＳ）樹脂或いはこれらの混合樹脂を素材として成形される。
【０００５】
ベゼル１０３は、表示パネル１０１の有効表示領域１０４を外方に臨ませるとともに外周領域１０５を覆う開口寸法の表示開口部１０６を有する全体枠状に形成される。ベゼル１０３には、表示開口部１０６の開口縁に沿った部位に内方に向かう傾斜が付された縁取りフランジ部１０７が一体に形成される。ベゼル１０３は、表示パネル１０１の前面部に組み合わせた状態で、縁取りフランジ部１０７の先端縁１０７Ａが表示面に対して所定の間隔ａを保持されて全周に亘って延在することにより、表示パネル１０１の有効表示領域１０４を縁取りする。
【０００６】
ベゼル１０３には、内面に適宜の間隔を以って所定の高さを有する多数個の突当てリブ１０８が一体に突設されるとともに、多数個の取付用ボス部１０９が一体に突設される。各突当てリブ１０８は、ベゼル１０３を表示パネル１０１に組み合わせた状態で外周領域１０５と対向する位置に形成され、外周領域１０５に突き当たることにより縁取りフランジ部１０７の先端縁１０７Ａと表示面との間隔ａを規定する。各取付用ボス部１０９は、それぞれに取付ネジ１１０がねじ込まれることによりベゼル１０３がホルダ部材１０２に固定されるようにする。
【０００７】
ホルダ部材１０２は、詳細を省略するが表示パネル１０１の外周部を保持する外周保持部１１１の前面側に表示パネル１０１の前面を保持する前面保持片部１１２が一体に立ち上がり形成されるとともに、図示を省略するが背面側に表示パネル１０１に組み合わされるベースプレートに固定される背面保持片部を一体に立ち上がり形成した断面コ字状に形成される。ホルダ部材１０２には、外周保持部１１１の背面側に一体に折曲形成され或いは一端を固定される別部材からなりベゼル取付部を構成する取付ブラケット片部１１３が設けられる。なお、ホルダ部材１０２については、表示パネル１０１を含むユニット構成に応じて適宜に形成される。
【０００８】
ホルダ部材１０２は、前面保持片部１１２が表示パネル１０１の外周領域１０５の幅よりも小さな高さを以って形成されており、外周保持部１１１が外周部を保持するとともに前面保持片部１１２が外周領域１０５を保持して、表示パネル１０１の外周部に組み合わされる。取付ブラケット片部１１３には、複数の取付孔が設けられており、ベゼル１０３を表示パネル１０１に組み合わせた状態で各取付孔がベゼル１０３側の取付用ボス部１０９と対向位置する。ホルダ部材１０２は、取付ブラケット片部１１３側から取付孔を介して取付用ボス部１０９に取付ネジ１１０がねじ込まれることにより、ベゼル１０３と表示パネル１０１を組み合わせる。
【０００９】
パネル型表示装置１００においては、ベゼル１０３の突当てリブ１０８に不織布１１４を接合し、この不織布１１４がホルダ部材１０２の前面保持片部１１２との間に介在するようにしてベゼル１０３と表示パネル１０１の組み合わせが行われる。パネル型表示装置１００においては、不織布１１４が内蔵スピーカからの放音による突当てリブ１０８と前面保持片部１１２との間において緩衝作用を奏してビビリ現象の発生を低減する。
【００１０】
パネル型表示装置１００においては、表示パネル１０１に対してベゼル１０３が、上述したように突当てリブ１０８により表示面と縁取りフランジ部１０７の先端縁１０７Ａとの間に間隔ａを構成して組み合わされる。パネル型表示装置１００は、この間隔ａを設けることにより表示パネル１０１においてベゼル１０３側から負荷を受けないようにして白浮き等の不具合の発生が防止されるようにする。パネル型表示装置１００は、間隔ａが突当てリブ１０８と取付用ボス部１０９との高さ差異と不織布１１４の厚みの和とほぼ等しくなるようにして設定される。
【００１１】
【特許文献１】実用新案登録第３１１０９９７号公報
【発明の開示】
【発明が解決しようとする課題】
【００１２】
ところで、パネル型表示装置１００においては、大型化に伴って合成樹脂製のベゼル１０３の全体に生じる歪みや変形も大きくなり、突当てリブ１０８や取付用ボス部１０９が精密に形成されていても表示パネル１０１との組合せ精度にバラツキが生じてしまうことがあった。パネル型表示装置１００においては、上述したように表示面と縁取りフランジ部１０７の先端縁１０７Ａとの間に１ｍｍ〜２ｍｍの間隔ａを設定して表示パネル１０１とベゼル１０３の組み合わせが行われるが、この間隔ａを全域に亘って精密に保持することが極めて困難となっている。
【００１３】
パネル型表示装置１００においては、間隔ａが全域に亘って不均一となることにより、仕上がり外観が損なわれるといった問題が生じる。パネル型表示装置１００においては、表示パネル１０１とベゼル１０３を組み合わせた状態で間隔ａが設計値よりも大きくなってしまう箇所では、この間隔ａを介して表示パネル１０１を保持するホルダ部材１０２が外部から視認されてしまうといった問題が生じる。また、パネル型表示装置１００においては、間隔ａが設計値よりも小さな箇所では表示面に縁取りフランジ部１０７の先端縁１０７Ａが突き当たって表示パネル１０１を損傷させたり白浮き等の表示特性の劣化を生じさせる。
【００１４】
したがって、本発明は、表示パネルの前面とベゼルの表示開口部の開口縁内面との間に全域に亘って均一な間隙が構成されるようにする構造簡易であり音声ビビリ防止用緩衝材等を不要とするパネル型表示装置を提供することを目的とする。
【課題を解決するための手段】
【００１５】
上述した目的を達成する本発明にかかるパネル型表示装置は、合成樹脂材により表示開口部を有する全体枠状に形成されたベゼルに対して、表示パネルをその有効表示領域を表示開口部から外方に臨ませるようにして組み合わせるとともに、表示パネルを保持するホルダ部材に設けたベゼル取付部をベゼルに固定してなる。パネル型表示装置は、ベゼルの内面に、取付ネジをねじ込んでホルダ部材のベゼル取付部を固定する取付用ボス部とともに、ホルダ部材の前面に突き当てられることにより表示開口部の開口縁と表示パネルとの間に所定の間隙を構成する突当てリブが一体に形成される。パネル型表示装置は、ベゼルに形成する取付用ボス部が、突当てリブをホルダ部材に突き当てた状態で相対するベゼル取付部との間に間隔を構成する高さに形成される。
【００１６】
パネル型表示装置においては、ベゼル取付部を介して取付用ボス部に取付ネジをねじ込むことにより、ホルダ部材を介して表示開口部から有効表示領域を外方に臨ませてベゼルと表示パネルの組み合わせが行われる。パネル型表示装置においては、合成樹脂材により枠状に形成されるベゼルが、成形条件や金型温度等に起因して僅かに歪みや変形が生じていることがある。パネル型表示装置においては、取付ネジをねじ込むことによりベゼルが取付用ボス部とベゼル取付部との間に構成された間隙分の範囲で取付用ボス部を立設した部位を中心として部分的に撓んでホルダ部材側へと引き寄せられる状態となるとともに、内面から所定の高さで突出された突当てリブがホルダ部材に突き当る。したがって、パネル型表示装置においては、ベゼルに歪みや変形があっても、表示パネルの前面とベゼルの表示開口部の開口縁内面との間に全域に亘って突当てリブの高さにより規定される均一な間隙が構成される。
【発明の効果】
【００１７】
本発明にかかるパネル型表示装置によれば、ベゼルの内面に、取付ネジをねじ込んでホルダ部材に固定するための取付用ボス部と、ホルダ部材に突き当てられることにより表示開口部の開口縁内面と表示パネルとの間に所定の間隙が保持されるようにするとともに突き当て状態で取付用ボス部とホルダ部材に設けたベゼル取付部との間に間隙を構成する高さの突当てリブを一体に形成する。パネル型表示装置によれば、取付ネジをねじ込むことによりベゼルが部分的にホルダ部材側へと引き寄せられて内面から所定の高さで突出された突当てリブがホルダ部材に突き当ることにより、多少の歪みや変形があるベゼルであってもその表示開口部の開口縁内面と表示パネルの前面とが全域に亘って一定の間隙に保持される。したがって、パネル型表示装置によれば、ベゼルに歪みや変形を生じさせないようにする成形条件や荷扱い等の簡易化が図られ、仕上がりが良好であるとともに表示パネルに対して負荷をかけることなく良好な外観を得ることが可能である。パネル型表示装置によれば、ベゼルとホルダ部材が全域に亘って強固に組み合わせされることから、放音によるビビリを防止する緩衝材も不要とすることが可能でありコスト低減が図られる。
【発明を実施するための最良の形態】
【００１８】
以下、本発明にかかるパネル型表示装置の実施の形態として図面に示す表示パネルとして液晶パネル２を備える液晶テレビジョン受像機（以下、単に液晶テレビと略称する。）１について、詳細に説明する。液晶テレビ１も、基本的な構成を上述した従来のパネル型表示装置１００と同様であり、図１乃至図３に示すように液晶パネル２や各種回路基板３を搭載したベースプレート４或いは左右一対の内蔵スピーカユニット５等をベゼル６とバックキャビネット７からなる筐体８内に収納して本体９を構成し、この本体９をスタンド１０により支持する。
【００１９】
液晶テレビ１は、バックキャビネット７がＰＣ樹脂、ＰＳ樹脂、ＡＢＳ樹脂或いはこれらの混合樹脂を素材として成形され、詳細を省略するが外周部に沿って形成したフランジ部を突き合わせて後述するベゼル６と組み合わされる。バックキャビネット７には、電源コードやアンテナケーブル等の接続部或いは入出力端子部やコントロールボックスの操作部等を外方に臨ませる開口部が形成されるとともに、放熱用のスリットが形成される。
【００２０】
液晶テレビ１は、合成樹脂製のスタンド１０が詳細を省略するが比較的大きな設置面積を有するとともに金属プレートを内蔵して所定の重量とすることにより床面や置台上に安定して設置されるようにする。スタンド１０は、液晶パネル２を組み合わせた詳細を後述するベゼル６の下方部位を支持するとともに、左右一対のステー１１を支持する。なお、スタンド１０は、例えばステンレス材等の金属により形成してもよいことは勿論である。
【００２１】
液晶テレビ１は、ベースプレート４が例えばアルミ板金により形成され、それぞれが集積回路素子や電子部品等を有する制御回路ユニット基板、電源回路ユニット基板或いは送受信回路ユニット基板等の各種回路基板３を搭載する。ベースプレート４は、スタンド１０を基準としてステー１１を介してその中央部位が支持され、トップブラケット部材を介してその上位をベゼル６の上方枠部に位置決め固定され支持されるとともに左右の内蔵スピーカユニット５を介してその左右部位をベゼル６の左右枠部に固定される。ベースプレート４は、液晶パネル２とバックライトユニットとホルダ部材１２等により構成される液晶パネルユニットの背面側を保持する。
【００２２】
液晶テレビ１は、詳細を省略するが、液晶パネル２が例えばＣＣＦＬ（cold cathode hluorescent lamp：冷陰極線管）や多数個の赤色、緑色、青色の３色の発光ダイオードを備えるバックライトユニットを積層状態に組み合わせ、ホルダ部材１２により外周部を全域に亘って保持されることにより液晶パネルユニットを構成する。液晶パネルユニットは、周知のようにバックライトユニットから放射される表示光を画像信号に基づいて液晶パネル２において変調して選択的に透過させることにより、この液晶パネル２の表示面から画像表示が行われるようにする。
【００２３】
液晶パネル２は、周知のように外周部に沿った所定幅の外周領域１３がガラス基板等の接合領域や電極引出し領域とされることにより非画像領域を構成し、この外周領域１３に囲まれた領域が有効表示領域１４を構成する。液晶パネル２は、後述するようにその前面に組み合わされるベゼル６により外周領域１３が目隠しされて有効表示領域１４が外方へと臨ませられる。
【００２４】
液晶パネルユニットには、詳細を省略するがバックライトユニットの背面側に支持基板を構成するベースプレートが組み合わされる。ベースプレートは、バックライトユニット等から発生する熱の放熱板としても機能する部材であることから熱伝導率が大きなアルミ板により形成され、液晶パネルユニットの駆動ユニットを搭載するとともに放熱ファンやヒートシンク等の放熱手段も搭載されてシャーシプレートに固定される。
【００２５】
ホルダ部材１２は、例えば板厚が０．８ｍｍ〜１．５ｍｍの鋼板やアルミ板を素材として液晶パネルユニットの外周部を全域に亘って保持する口径寸法を有する全体枠状に形成される。ホルダ部材１２は、詳細を省略するが背面側にベースプレートを組み合わせる。ホルダ部材１２は、図３及び図４に示すように液晶パネル２の外周部を保持する外周保持部を構成する保持枠部１５と、この保持枠部１５の各辺の前面側に液晶パネル２の前面を保持する前面保持部を構成する前面保持片部１６が一体に立ち上がり形成されるとともに、保持枠部１５の背面側に図示を省略するが組み合わされたベースプレートを保持する背面保持片部が一体若しくは別部材として設けられる。
【００２６】
ホルダ部材１２は、背面側から組み合わされる液晶パネル２を、保持枠部１５がその外周部を全域に亘って保持するとともに前面保持片部１６がその外周領域１３の範囲で前面側に突き当てられることにより保持する。ホルダ部材１２は、前面保持片部１６が液晶パネル２の外周領域１３の幅よりも小さな高さを以って形成されることで、画像が表示される有効表示領域１４に何ら影響を及ぼすことは無い。
【００２７】
ホルダ部材１２には、保持枠部１５の各辺の背面側に、適宜の間隔を以って複数のベゼル取付部１７が一体に折曲形成される。ベゼル取付部１７は、後述するように液晶パネルユニットをベゼル６に組み合わせた状態でベゼル６側に設けられた取付部と対向して固定される部位であり、長さ方向に並んで複数の取付孔１８が設けられている。なお、ベゼル取付部１７は、保持枠部１５の背面側から略直角に折曲された矩形片として図示されているが、かかる形状に限定されないことは勿論である。ベゼル取付部１７は、例えば側面部を有する断面Ｌ字状或いはチャンネル状とされることにより機械的強度が図られた部位であってもよい。
【００２８】
なお、ホルダ部材１２については、枠状の保持枠部１５に前面保持片部１６や背面保持片部或いはベゼル取付部１７が一体に折曲形成された部材として説明したが、かかる構成に限定されないことは勿論である。ホルダ部材１２については、例えば背面保持片部やベゼル取付部１７と同等の機能を有する別部材が直接或いは介在部材を介して取り付けられるようにしてもよい。ホルダ部材１２は、従来の各種パネル型表示装置に用いられる種々のホルダ部材と同等の部材を用いることが可能である。
【００２９】
液晶テレビ１は、上述したベゼル取付部１７をホルダ部材１２と別部材により構成する場合に、全ての箇所において同一形状の取付部材を用いる必要は無い。液晶テレビ１は、重量負荷が大きな底面側に設ける取付部材を厚みの大きな金属板を用いて大きな機械的剛性を有するように形成するとともに、重量負荷が比較的小さな側面部や天井部側に設ける取付部材をやや薄厚の金属板を用いて形成することも可能である。
【００３０】
液晶テレビ１は、ベゼル６も例えばＰＣ樹脂、ＰＳ樹脂、ＡＢＳ樹脂或いはこれらの混合樹脂を素材として一体に成形する。なお、液晶テレビ１は、詳細を省略するが、例えばベゼル６と前面ガラスと保持枠或いは化粧枠等の部材を組み合わせて前面側の外装体であるベゼルユニットを構成し、このベゼルユニットに対して液晶パネルユニットが組み合わされる。ベゼル６は、基本的な構成を上述した従来のパネル型表示装置１００に備えるベゼル１０３と同様とされ、液晶パネル２の有効表示領域１４を外方に臨ませるとともに外周領域１３を覆う開口寸法の表示開口部１９を有する全体枠状に形成される。
【００３１】
ベゼル６は、詳細を省略するが所定の幅を有して液晶パネル２の有効表示領域１４を囲んで筐体８の前面部を構成する前面枠部２０と、この前面枠部２０から表示開口部１９の開口縁に沿って内方に向かう傾斜が付されて一体に形成された縁取りフランジ部２１と、前面枠部２０の外周縁に沿って一体に形成されて筐体８の側面部の一部を構成する外周フランジ部２２とから構成される略チャンネル枠形状の部材からなる。ベゼル６には、図示を省略するが前面枠部２０の内面にリブを格子状に形成することにより機械的強度の向上が図られており、バックキャビネット７やシャーシプレート４或いは液晶パネルユニットのベースプレートを位置決めして組み合わせるための取付ボス部や位置決め凸部等が適宜一体に形成される。また、ベゼル６には、前面枠部２０の内面に内蔵スピーカユニット５や表示部基板等を位置決めして組み合わせるため取付ボス部や位置決め凸部が一体に形成される。さらに、ベゼル６には、前面枠部２０の底面にスタンド１０と位置決めして組み合わせるため取付部が形成されている。
【００３２】
ベゼル６には、前面枠部２０の内面に、後述するようにホルダ部材１２を介して液晶パネル２を位置決めして組み合わせるための多数個の取付用ボス部２３や突当てリブ２４が一体に形成される。ベゼル６も、従来のパネル型表示装置１００と同様に、後述する構造により表示開口部１９から有効表示領域１４を外方に臨ませて液晶パネル２の前面部に組み合わされた状態で、縁取りフランジ部２１の先端縁２１Ａが表示面に対して所定の間隔ａを保持されて全周に亘って延在することにより、有効表示領域１４を縁取りする。
【００３３】
ベゼル６には、図３に示すように上述したホルダ部材１２側の各ベゼル取付部１７に形成した各取付孔１８にそれぞれ対応位置して取付用ボス部２３が一体に突設される。各取付用ボス部２３は、同図に示すようにホルダ部材１２側の各ベゼル取付部１７に長さ方向に並んで２個の第１取付孔１８−１と第２取付孔１８−２が形成される場合に、これら取付孔に対向して形成された第１取付用ボス部２３−１と第２取付用ボス部２３−２とからなる。各取付用ボス部２３は、それぞれが取付孔１８の孔径よりも大径の筒状凸部からなり、ベゼル６と液晶パネル２を組み合わせた状態で先端部がベゼル取付部１７の受け面となる。各取付用ボス部２３には、先端部に開口して取付孔１８と同径の軸孔２５が形成されている。
【００３４】
取付用ボス部２３は、第１取付用ボス部２３−１と第２取付用ボス部２３−２が、軸長を異にして形成されている。取付用ボス部２３は、詳細には図３に示すようにホルダ部材１２側の前面枠部２０に近い第１取付孔１８−１と対向する第１取付用ボス部２３−１に対して前面枠部２０から離れた第２取付孔１８−２と対向する第２取付用ボス部２３−２が長軸に形成されている。
【００３５】
取付用ボス部２３には、相対する取付孔１８からそれぞれ取付ネジ２６が軸孔２５にねじ込まれることによりベゼル取付部１７と固定される。取付ネジ２６には、例えばねじ込み操作により軸孔２５の内壁にねじ切りを行いながら進入するセルフタップネジを用いるが、その他の取付ネジを用いてもよい。取付ネジ２６には、ねじ込み操作に際してワッシャ等も組み合わされる。
【００３６】
なお、ベゼル６においては、大型であり重量負荷が部分的に極めて大きく作用される部位等において、必要に応じて取付用ボス部２３に金属製のナットをインサート成形して設けるようにしてもよい。また、ベゼル６及びホルダ部材１２のベゼル取付部１７には、取付用ボス部２３と取付孔１８による固定構造ばかりでなく、例えば相対係合される位置決め凸部と位置決め孔等からなる位置決め構造を設けるようにしてもよい。
【００３７】
ベゼル６には、前面枠部２０の内面に、全域に亘りそれぞれ適宜の間隔を以って複数個の突当てリブ２４が一体に突出形成される。各突当てリブ２４は、液晶パネル２を組み合わせた状態で図３に示すように先端部がホルダ部材１２の前面保持片部１６に突き当ることにより、上述したように縁取りフランジ部２１の先端縁２１Ａを液晶パネル２の表示面に対して所定の間隔ａに規定する高さを有して形成される。
【００３８】
各突当てリブ２４は、ベゼル６と液晶パネル２を組み合わせた状態で、図３に示すようにホルダ部材１２の前面保持片部１６に対して保持枠部１５との折曲部位の近傍において突き当てられる。各突当てリブ２４は、後述するようにベゼル６が部分的にホルダ部材１２側にやや撓んだ状態で組み合わされることにより前面保持片部１６を圧接するが、機械的剛性の大きい折曲部位の近傍に突き当てられかつホルダ部材１２の板厚とも相俟ってその圧接力が液晶パネル２の特性に影響を与えることは無い。
【００３９】
なお、各突当てリブ２４は、前面枠部２０と前面保持片部１６とが全周に亘って同一間隔の場合には全てが同一の高さに形成される。各突当てリブ２４は、例えば適宜の取付部等が設けられることにより間隔を異にした位置に設けられる突当てリブについては他の部位の突当てリブに合わせて上記間隔ａを規定する高さで形成されることは勿論である。
【００４０】
ベゼル６においては、上述した各取付用ボス部２３が、突当てリブ２４を前面保持片部１６に突き当てて縁取りフランジ部２１の先端縁２１Ａと液晶パネル２の表示面とを間隔ａに保持して液晶パネル２と組み合わされた状態で、相対するベゼル取付部１７との間に間隔ｂを構成する軸長を以って形成される。間隔ｂは、図３に示すようにベゼル取付部１７に対して、第１取付用ボス部２３−１に構成される第１間隔ｂ−１が第２取付用ボス部２３−２に構成される第２間隔ｂ−２よりも大きく設定される。
【００４１】
なお、ベゼル６においては、上述したように高さを異にする第１取付用ボス部２３−１と第２取付用ボス部２３−２を形成したことにより、これらの高さ差異により歪みや変形による間隔ｂ或いは突当てリブ２４の突き当て状態の差が吸収されるようになる。したがって、ベゼル６においては、第１取付用ボス部２３−１と第２取付用ボス部２３−２の軸長を適宜設定することにより、突当てリブ２４からの前面保持片部１６への圧接力を調整するようにしてもよい。
【００４２】
液晶テレビ１においては、上述したベゼル６の背面側から液晶パネルユニットが組み合わされることにより、表示開口部１９から液晶パネル２の有効表示領域１４を側方に臨ませるとともに、突当てリブ２４がホルダ部材１２の前面保持片部１６に突き当たり、各取付用ボス部２３がホルダ部材１２の相対するベゼル取付部１７と対向される。液晶テレビ１においては、成形条件や金型温度或いは取扱い等に起因してベゼル６に歪みや変形が生じていると、全ての突当てリブ２４がホルダ部材１２の前面保持片部１６に対して均等な状態で突き当っていない状態となってベゼル６と液晶パネルユニットの組み合わせが行われる。
【００４３】
液晶テレビ１においては、各ベゼル取付部１７の取付孔１８からそれぞれ取付ネジ２６が取付用ボス部２３の軸孔２５にねじ込まれることにより、ベゼル６にホルダ部材１２を固定する。液晶テレビ１においては、ベゼル６とホルダ部材１２が、上述したように取付用ボス部２３をベゼル取付部１７に対して間隔ｂを構成する軸長を以って形成するが、この間隔ｂが歪みや変形により全域に亘って一定に保持されていない状態にある。液晶テレビ１においては、図４に示すように各取付用ボス部２３の先端部がベゼル取付部１７に突き当たるまで取付ネジ２６をねじ込むことにより、ベゼル６にホルダ部材１２を固定する。液晶テレビ１においては、この場合に間隔ｂが小さな第２取付用ボス部２３−２側から取付ネジ２６のねじ込み操作が行われるようにする。
【００４４】
液晶テレビ１においては、上述した取付ネジ２６のねじ込み操作を行うことにより、ベゼル６において歪みや変形の具合で間隔ｂが大きな部位や突当てリブ２４がホルダ部材１２の前面保持片部１６に突き当っていない部位においても、取付用ボス部２３が前面保持片部１６へと引き寄せられて先端部がベゼル取付部１７に突き当たる。液晶テレビ１においては、ベゼル６が図４に示すように前面枠部２０の内面に取付用ボス部２３を形成した部位２０Ａ、２０Ｂがそれぞれ部分的に内方へと撓むことにより歪みや変形による間隔ｂ或いは突当てリブ２４の突き当て状態の差が吸収されてホルダ部材１２との組み合わせが行われる。
【００４５】
したがって、液晶テレビ１においては、各突当てリブ２４が、前面保持片部１６に及ぼす圧接力を異にしても、全域に亘って前面保持片部１６に対して突き当てられてベゼル６にホルダ部材１２が固定される。液晶テレビ１においては、これにより縁取りフランジ部２１の先端縁２１Ａと液晶パネル２の表示面とが全域に亘って突当てリブ２４により規定される間隔ａに保持してベゼル６に対して液晶パネル２が組み合わされる。液晶テレビ１においては、ベゼル６に歪みや変形を生じさせないようにする成形条件や荷扱い等の簡易化が図られ、仕上がりが良好であるとともに液晶パネル２に対して負荷をかけることなく良好な仕上がり外観を得ることが可能となる。
【００４６】
また、液晶テレビ１においては、上述した取付ネジ２６のねじ込み操作により前面枠部２０が部分的に内方へと撓むことにより各取付用ボス部２３の先端部がベゼル取付部１７に突き当った状態で取付が行われることにより、ベゼル６に対してホルダ部材１２が全域に亘って強固に固定される。液晶テレビ１においては、かかる構成により各突当てリブ２４に接合して放音によるビビリを防止する緩衝材やその接合工程が不要となり、コスト低減が図られる。
【００４７】
なお、本発明は、上述した実施の形態として示した液晶テレビ１に限定されず、各種パネル型表示モニタ装置にも適用されるものであり、また表示パネルとしてプラズマディスプレィパネル或いはエレクトロルミネッセンスディスプレィパネルを備える各種パネル型表示装置にも適用される。
【図面の簡単な説明】
【００４８】
【図１】本発明の実施の形態として示す液晶テレビの斜視図である。
【図２】バックキャビネットを取り外して内部構造を示す液晶テレビの背面図である。
【図３】液晶パネルとベゼルの組合せ構造を説明する要部断面図である。
【図４】液晶パネルとベゼルを組み合わせた状態の要部断面図である。
【図５】従来の液晶テレビにおける液晶パネルとベゼルの組合せ構造を説明する要部断面図である。
【符号の説明】
【００４９】
１  液晶テレビ、２  液晶パネル、６  ベゼル、７  バックキャビネット、１０  スタンド、１２  ホルダ部材、１３  外周領域、１４  有効表示領域、１５  保持枠部、１６  前面保持片部、１７  ベゼル取付部、１８  取付孔、１９  表示開口部、２０  前面枠部、２１  縁取りフランジ部、２１Ａ  先端部、２２  外周フランジ部、２３  取付用ボス部、２４  突当てリブ、２５  軸孔、２６  取付ネジ
【図１】
0005045452.tif 000002
【図２】
0005045452.tif 000003
【図３】
0005045452.tif 000004
【図４】
0005045452.tif 000005
【図５】
0005045452.tif 000006